【手続補正書】
【提出日】平成18年6月22日(2006.6.22)
【手続補正１】
【補正対象書類名】明細書
【補正対象項目名】特許請求の範囲
【補正方法】変更
【補正の内容】
【特許請求の範囲】
【請求項１】
送信元からマルチキャスト送信されるデータを、ゲートウェイを経由して、マルチキャスト機能をサポートしていない受信端末宛に配信する方法であって、
第１のネットワークに位置登録された受信端末から前記送信元へ送信されたデータ要求パケットを、前記受信端末と前記送信元とのパケットの転送経路上に配置された第１のゲートウェイで検知し、
前記データ要求パケットに含まれる前記受信端末のアドレスを保持し、
前記受信端末が第２のネットワークに対して行った位置登録メッセージを検知し、
該第２のネットワークと前記送信元とのパケットの転送経路上に配置された第２のゲートウェイに対して、前記送信元のアドレス情報とマルチキャスト送信されるデータの宛先アドレス情報とを関連付ける情報を含む受信状態情報パケットを送信し、
該第２のゲートウェイは、受信した受信状態情報パケットを元に前記送信元に対してマルチキャストデータの配信要求パケットを送信し、
送信元から送信されたマルチキャストデータパケットのアドレス情報を前記受信端末のアドレスに変換して、前記受信端末に送信することを特徴とするマルチキャスト配信方法。
【請求項２】
配信元からマルチキャスト送信されたデータパケットを、該データパケットの受信を要求する受信端末宛に転送するマルチキャストゲートウェイ装置であって、
パケットを受信するパケット受信部と、
受信したパケットの種類を判別するパケット判別部と、
受信パケットが、前記送信元へのアクセス要求パケットであった場合に、受信パケットの送信元である前記受信端末のアドレスを保持するアクセス端末管理テーブルと、
受信パケットが、受信端末の位置登録要求パケットであった場合に、当該位置登録要求パケットに含まれる前記端末の移動先のアドレスを保持する受信端末管理テーブルと、
受信パケットが、マルチキャスト送信されたデータパケットであった場合、前記アクセス管理テーブルと前記受信端末管理テーブルとを参照し、当該受信したデータパケットに対し、宛先アドレスとして前記受信端末の移動先のアドレスを設定するデータ転送処理部と、
該アドレスの設定されたデータパケットを前記受信端末に送信する手段とを有することを特徴とするマルチキャストゲートウェイ装置。
【請求項３】
請求項２に記載のマルチキャストゲートウェイ装置において、
前記受信端末が送受信する前記移動通信プロトコルの制御パケットを受信する手段と、
受信した前記移動通信プロトコルの制御パケットに前記マルチキャストゲートウェイ装置のアドレス情報を付加して送信する手段と、
前記マルチキャストゲートウェイ装置のアドレス情報が付加された前記移動通信プロトコルの制御パケットを受信する手段と、
受信した前記マルチキャストゲートウェイ装置のアドレス情報が付加された前記移動通信プロトコルの制御パケットに含まれる前記マルチキャストゲートウェイ装置のアドレス情報を保持する手段と、
受信した前記マルチキャストゲートウェイ装置のアドレス情報が付加された前記移動通信プロトコルの制御パケットに含まれる前記マルチキャストゲートウェイ装置のアドレス情報を除去して送信する手段と有することを特徴とするマルチキャストゲートウェイ装置。
【請求項４】
請求項２に記載のマルチキャストゲートウェイ装置において、
前記受信端末と前記送信元間で送受信されるパケットを監視する手段と、
該監視手段の監視結果に基づいて、マルチキャスト送信されたデータパケットの配送制御を最寄りのマルチキャストルータ装置に指示する配送パケットを生成する手段とを有することを特徴とするマルチキャストゲートウェイ装置。
【請求項５】
請求項４に記載のマルチキャストゲートウェイ装置において、
前記制御パケットがグループ管理プロトコルのパケットであることを特徴とするマルチキャストゲートウェイ装置。
【請求項６】
マルチキャストで送信されたデータパケットの中継機能を有するルータ装置であって、
パケットを受信するパケット受信部と、
受信したパケットの種類を判別するパケット判別部と、
受信パケットが、マルチキャストデータの配信元へのアクセス要求パケットであった場合に、該受信パケットの送信元である受信端末のアドレスを保持するアクセス端末管理テーブルと、
前記受信パケットが、受信端末の位置登録要求パケットであった場合に、当該位置登録要求パケットに含まれる前記端末の移動先のアドレスを保持する受信端末管理テーブルと、
受信パケットが、マルチキャスト送信されたデータパケットであった場合、前記アクセス管理テーブルと前記受信端末管理テーブルとを参照し、当該受信したデータパケットに対し、宛先アドレスとして前記受信端末の移動先のアドレスを設定するデータ転送処理部と、
該アドレスの設定されたデータパケットを前記受信端末に送信する手段とを有することを特徴とするルータ装置。
【請求項７】
請求項６に記載のルータ装置であって、
前記移動端末が送受信する前記移動通信プロトコルの制御パケットを受信する手段と、
受信した前記移動通信プロトコルの制御パケットに前記ルータ装置のアドレス情報を付加して送信する手段と、
前記ルータ装置のアドレス情報が付加された前記移動通信プロトコルの制御パケットを受信する手段と、
受信した前記ルータ装置のアドレス情報が付加された前記移動通信プロトコルの制御パケットに含まれる前記ルータ装置のアドレス情報を保持する手段と、
受信した前記ルータ装置のアドレス情報が付加された前記移動通信プロトコルの制御パケットに含まれる前記ルータ装置のアドレス情報を除去して送信する手段とを有することを特徴としたルータ装置。
【請求項８】
請求項６に記載のルータ装置において、
前記受信端末と前記送信元間で送受信されるパケットを監視する手段と、
該監視手段の監視結果に基づいて、マルチキャスト送信されたデータパケットの配送制御をネットワーク上に存在する他のルータ装置に指示する制御パケットを生成する手段とを有することを特徴とするルータ装置。
【請求項９】
請求項８に記載のルータ装置であって、
前記制御パケットがマルチキャスト経路制御プロトコルのパケットであることを特徴とするルータ装置。
【請求項１０】
移動体通信プロトコルが適用されているネットワークにおいて前記移動体通信プロトコルで定められた機能を有するエージェント装置であって、
パケットを受信するパケット受信部と、
受信したパケットの種類を判別するパケット判別部と、
受信パケットが、マルチキャストデータの配信元へのアクセス要求パケットであった場合に、該受信パケットの送信元である受信端末のアドレスを保持するアクセス端末管理テーブルと、
前記受信パケットが、受信端末の位置登録要求パケットであった場合に、当該位置登録要求パケットに含まれる前記端末の移動先のアドレスを保持する受信端末管理テーブルと、
受信パケットが、マルチキャスト送信されたデータパケットであった場合、前記アクセス管理テーブルと前記受信端末管理テーブルとを参照し、当該受信したデータパケットに対し、宛先アドレスとして前記受信端末の移動先のアドレスを設定するデータ転送処理部と、
該アドレスの設定されたデータパケットを前記受信端末に送信する手段とを有することを特徴とするエージェント装置。
【請求項１１】
請求項１０に記載のエージェント装置であって、
前記移動通信プロトコルの制御パケットに前記エージェント装置のアドレス情報を付加して送信する手段と、
前記エージェント装置のアドレス情報が付加された前記移動通信プロトコルの制御パケットを受信する手段と、
受信した前記エージェント装置のアドレス情報が付加された前記移動通信プロトコルの制御パケットに含まれる前記エージェント装置のアドレス情報を保持する手段と、
受信した前記エージェント装置のアドレス情報が付加された前記移動通信プロトコルの制御パケットに含まれる前記エージェント装置のアドレス情報を除去して送信する手段とを有することを特徴とするエージェント装置。
【請求項１２】
マルチキャスト通信を用いてマルチキャストデータの受信機能を持たない受信端末に情報を配信するサービスシステムであって、
提供する情報を含むデータパケットをマルチキャスト送信する配信サーバと、
前記受信端末の属するホームネットワークに配置されたホームエージェントと、
前記受信端末が移動可能な外部ネットワークに配置された外部エージェントと、
前記ホームエージェントと前記配信サーバとの通信経路上に配置される第１のマルチキャストゲートウェイ装置と、
前記外部エージェントと前記配信サーバとの通信経路上に配置される第２のマルチキャストゲートウェイ装置とを有し
該第１および第２のマルチキャストゲートウェイ装置はマルチキャスト送信されたデータパケットをユニキャストデータに変換する手段を有し、
前記第１のマルチキャストゲートウェイ装置は、
前記受信端末が前記外部エージェントに対して行なった位置登録メッセージを受信すると、前記配信サーバのアドレス情報と前記受信端末のホームアドレス情報とを前記第２のゲートウェイに転送し、
前記第２のゲートウェイは、マルチキャストデータの配信要求パケットを前記配信サーバに対して送信し、
更に前記配信サーバより送信されたマルチキャストデータをユニキャストデータに変換して、前記受信端末に送信することを特徴とするサービスシステム。